(57)【要約】  【課題】  液体を貯留している液体貯留容器から液体充填容器に液体を充填するときに、気泡の巻き込みを解消する液体の充填方法と、液体の連続自動充填装置を提供する。  【解決手段】  予め液体を貯めた液体貯留容器から液体充填容器に液体を充填する際に、液体充填容器側を減圧に保持した状態で、まず初めに配管内を液体で充填した後、液体貯留容器側を加圧して充填する液体の充填方法であり、前記の液体の充填方法には、複数個の液体充填容器に連続的にかつ定量的に液体を自動充填する方法と、その連続自動充填装置も含まれる。  【選択図】 図１
2005239235.tif 000002
【特許請求の範囲】
【請求項１】
予め液体を貯めた液体貯留容器から配管を通じて液体充填容器に液体を充填する方法であって、該液体充填容器側を減圧に保持した状態で該液体貯留容器から該液体充填容器への液体の充填を開始した後、該液体貯留容器側を加圧することを特徴とする液体の充填方法。
【請求項２】
液体充填容器に液体が充填され始めた後に、液体貯留容器を加圧することを特徴とする請求項１記載の液体の充填方法。
【請求項３】
粘度が２５℃で１０，０００ｍＰａ・ｓ以上である液体を充填することを特徴とする請求項１または２記載の液体の充填方法。
【請求項４】
予め脱気した液体を充填することを特徴とする請求項１〜３のいずれかに記載の液体の充填方法。
【請求項５】
液体の充填終了後、液体充填容器を減圧に保持することを特徴とする請求項１〜４のいずれかに記載の液体の充填方法。
【請求項６】
加圧機構を備えた液体貯留容器と減圧機構を備えた液体充填容器と該液体貯留容器と該液体充填容器を接続する配管を有し、請求項１〜４のいずれかに記載の液体の充填方法に用いるための液体の連続自動充填装置であって、該液体充填容器の満量を検知し、該液体充填容器への液体の充填を自動的に停止する機能を備えてなることを特徴とする液体の連続自動充填装置。
【請求項７】
液体充填容器および液体充填容器と液体貯留容器を接続する配管の真空漏れ検査を実施した後、液体の充填を開始し終了する連続自動充填機能を備えてなることを特徴とする請求項６記載の液体の連続自動充填装置。
【請求項８】
液体貯留容器の残量を検知し、液体の液体充填容器への充填を自動的に停止する機能を備えてなることを特徴とする請求項６または７記載の液体の連続自動充填装置。
【請求項９】
複数個の液体充填容器を有し、該液体充填容器に順に液体を連続的に自動充填する機能を備えてなることを特徴とする請求項６〜８のいずれかに記載の液体の連続自動充填装置。
【発明の詳細な説明】
【技術分野】
【０００１】
本発明は、電子部品材料、塗料およびワニスなどの粘性液体や固形分を含有する液体等流動性液体の吐出、射出および塗布工程を必要とする工程にかかわる、液体を液体充填容器に充填する方法と、それに用いられる連続自動充填装置に関するものである。
【背景技術】
【０００２】
従来、粘性液体や流動性液体の吐出や塗布工程において、当該液体中に気泡が含まれていると、液体が吐出されない箇所（抜け）が発生したり、塗布むらが発生するという問題があった。そのため、吐出や塗布工程の前に液体を減圧状態に保ち、液体中の気泡を除去する、いわゆる脱気を行うことが一般に行われている。特に、電子材料に関わる部品や基板に抜けや塗布むらがあった場合は、直ちに欠陥品となる。そのため、特に、塗布液の気泡に対しては完全に除去する必要がある。しかしながら、せっかく完全に脱気した液体であっても、液体の液体充填容器等への充填工程などその後の工程において、液体中に気泡が混入する危険性がある。
【０００３】
液体の充填工程における一般的な充填方法は、まず液体を液体貯留容器に入れて貯留し、そこから接続配管などを経由して、液体充填容器に液体を送液する方法である。送液手段としては、モーノポンプ、ダイヤフラムポンプやギアポンプ、あるいはバタフライポンプなどの動力を用いて、液体を送液（充填）する方法が一般的によく用いられている。しかしながら、これらの方法の場合、液体がポンプ部品に接触しており、送液する毎に液体の躍動でポンプおよびそれ以後の配管に圧力負荷がかかり、ポンプ表面や配管内面の表面が擦れ、液体にその材質の屑が少しずつ混入（いわゆるコンタミ）するという問題がある。これが特に顕著なのは、配管やポンプ材質に耐摩耗性の劣った材質を使用していた場合や、高粘度液体を充填する場合である。さらに別の問題として、例えば、ピストンを用いて送液する場合、ピストンが駆動する度ごとに液体に気泡が巻き込まれるという問題がある。また、液体の特性によっては液体の固化や変質を防止するため、定期的にポンプを分解し洗浄する必要があり、非常に手間がかかる。
【０００４】
上記のようなコンタミや気泡の巻き込みを防止し液体を充填する方法として、ポンプなどの動力を使用することなく液体を充填する方法がある。具体的には、液体充填容器側を減圧にするか、あるいは液体貯留容器側を加圧して、圧送する方法である。これらの方法の場合、ポンプを使用しないため、ポンプ本体およびその部品を洗浄する必要がなく、配管洗浄のみ行えばよい。このように圧送によって液体を充填する方法として、液体の充填容器側の圧力を貯留容器側の圧力よりも低い圧力にすることにより、気泡の巻き込みがなく液体を充填する方法およびその装置が提案されている（特許文献１参照）。
【０００５】
しかしながら、この方法の場合、液体の貯留容器と充填容器とを接続する配管間内に液体が充填されることがあると同時に、液体の貯留容器を加圧して充填を開始するために、配管内に気泡が巻き込まれた状態で充填が開始されるという問題がある。すなわち、液体の充填容器の圧力を低圧にすると同時に液体の貯留容器の圧力を高圧にするため、配管内の空気が十分に排気されない状態で液体の充填が開始され配管内の空気が液体によって閉じこめられるという問題がある。特に、バルブと配管の接続部や配管径が細い部分、および枝分かれ部分などにおいては、隅々まで液体が充填されないことがある。このような状態で液体の充填を開始すると、配管内に閉じこめられた気泡が、液体の送液に伴って徐々に液体の充填容器に混入するという問題がある。この現象が特に顕著なのは、配管径が細い箇所や配管構造が非常に複雑で枝割れ箇所が多い場合、および液体が高粘度の場合である。液体が高粘度の場合とは、具体的には、例えば、粘度が１０，０００ｍＰａ・ｓ以上のような場合である。液体がこのように高粘度の場合は、液体自体の流動性が非常に悪く、配管内の細かい部分まで液体が浸透配給液されにくい。また、高粘度の液体の場合、一旦、気泡が巻き込まれた場合、その高粘性のために気泡を除去することが非常に困難である。
【０００６】
これらの理由から、接続配管に細い箇所がある場合や、配管構造が非常に複雑で枝割れ箇所が多い配管を用いて液体を送液充填する場合、および高粘度の液体を充填するときには、接続配管内の空気を十分に排気した後、ゆっくりと液体を浸透させ、液体の充填を開始することが必要である。
【特許文献１】特開２０００−３３５５０５号公報
【発明の開示】
【発明が解決しようとする課題】
【０００７】
本発明の目的は、液体定量技術に関し、液体貯留容器から液体充填容器に液体を充填する際に、気泡の巻き込みのない液体の充填方法および連続自動充填装置を提供することにある。また、本発明の他の目的は、複数個の液体充填容器に連続的にかつ定量的に液体の充填を自動で行うことを可能にした液体の充填方法と連続自動充填装置を提供することにある。
【課題を解決するための手段】
【０００８】
本発明は、上記目的を達成せんとするものであり、本発明の液体の充填方法は、予め液体を貯めた液体貯留容器から配管を通じて液体充填容器に液体を充填する方法であって、該液体充填容器側を減圧に保持した状態で該液体貯留容器から該液体充填容器への液体の充填を開始した後、該液体貯留容器側を加圧することを特徴とする液体の充填方法である。好適には、本発明の液体の充填方法は、予め液体を貯めた液体貯留容器から液体充填容器に液体を充填する際に、液体充填容器側を減圧に保持した状態で、まず初めに配管内に液体を充填した後、液体貯留容器側を加圧して充填する液体の充填方法である。
【０００９】
また、本発明の液体の充填方法の好ましい態様としては、次の態様が含まれている。
(a) 液体充填容器に液体が充填され始めた後に液体貯留容器を加圧すること。
(b) 粘度が２５℃で１０，０００ｍＰａ・ｓ以上である液体を充填すること。
(c) 予め脱気した液体を充填すること。
(d) 液体の充填終了後、液体充填容器を減圧に保持すること。
【００１０】
本発明の液体の連続自動充填装置は、加圧機構を備えた液体貯留容器と減圧機構を備えた液体充填容器と該液体貯留容器と該液体充填容器を接続する配管を有し、上記した液体の充填方法に用いるための液体の連続自動充填装置であって、該液体充填容器の満量を検知し、該液体充填容器への液体の充填を自動的に停止する機能を備えてなることを特徴とする液体の連続自動充填装置である。
【００１１】
また、本発明の液体の連続自動充填装置においては、次の好ましい態様が含まれている。
(e) 液体充填容器および液体充填容器と液体貯留容器を接続する配管の真空漏れ検査を実施した後、液体の充填を開始し終了する連続自動充填機能を備えてなること。
(f) 液体貯留容器の残量を検知し、液体の液体充填容器への充填を自動的に停止する機能を備えてなること。
(g) 複数個の液体充填容器を有し、該液体充填容器に順番に液体を連続的に自動充填する機能を備えてなること。
【発明の効果】
【００１２】
本発明によれば、気泡を巻き込むことなく液体貯留容器から液体充填容器に液体を充填することができ、また、複数個の液体充填容器に連続的にかつ定量的に液体の充填を自動で行うことが可能となるため、省人化と工数削減が可能で、大幅に経費節減することができる。
【発明を実施するための最良の形態】
【００１３】
本発明の液体の充填方法においては、予め液体を貯めた液体貯留容器から配管を通じて液体充填容器に液体を充填する際に、まず液体充填容器側を減圧に保持した状態で液体を液体貯留容器から配管を通し液体充填容器への充填を開始した後、液体貯留容器側を加圧する。
【００１４】
本発明の上記液体の充填方法に用いられる連続自動充填装置は、加圧機構を備えた液体貯留容器と減圧機構を備えた液体充填容器と該液体貯留容器と該液体充填容器を接続する配管を有し、該液体充填容器の満量を検知し、該液体充填容器への液体の充填を自動的に停止する機能を備えている。
【００１５】
ここで、図面に基づいて本発明を説明する。図１は、本発明の一実施形態にかかる液体の充填方法と連続自動充填装置を説明するための系統図である。
【００１６】
図１において、コンピュータ制御部１２により、まずバルブ１とバルブ８とバルブ９とを自動的に開け、真空配管１０にて液体充填容器１５、フィルタ２０内および真空配管１０内を減圧にする。その後、バルブ１を閉じ、液体充填容器１５（２５）、フィルタ２０内および真空配管１０内の真空漏れ確認（リークテスト）を実施する（真空計２２）。真空漏れが無いことを確認した後、次にバルブ３とバルブ４を開け（大気圧１７）、フィルタ２０内および真空配管１１内を減圧に保持する。このとき、液体貯留容器１４は加圧しない。この状態でしばらく放置すると、フィルタ２０および真空配管１０の減圧により、液体が徐々に送液され、フィルタ２０内への充填が始まる。充填が開始されたら、バルブ５を開け、フィルタ２０内の初留を排出する（フィルタ２０内の初留出し１８）。次にバルブ５を閉じてバルブ６を開け、真空配管１１内の初留を排出する（真空配管１１内の初留出し１９）。次に、バルブ３を閉じ、液体充填容器１５にペーストが充填され始めたのを確認した後、バルブ４を閉じてバルブ７を開け、液体貯留容器１４を加圧１６し（圧力計２４）、充填を開始する。液体貯留容器１４の重量（計量器１３で感知する）減少が設定量に達したら（または、液体充填容器１５の重量（計量器２１で感知する）が設定量に達したら）、液体の液体充填容器１５への充填をコンピュータ制御部１２により自動的に停止し、バルブ２を閉じ、バルブ１とバルブ８を開けて、液体充填容器１５内に貯まった液体の脱気を行う。液体の充填後、液体充填容器１５を減圧に保持する。図１の態様においては、液体の液体充填容器１５を複数個の液体充填容器２５等とすることで、個々の液体充填容器１５、２５等に液体を連続的に自動充填することができる。
【００１７】
本発明において、充填する液体としては、例えば、電子部品材料、塗料、ワニスおよびペーストなど粘性流体のみならず、粉末等の固形分を含有する液体等の流動性液体等が挙げられる。ペーストについては、例えば、ＰＤＰ（プラズマディスプレイパネル）の背面板用の電極ペースト、誘電体ペースト、隔壁ペースト、蛍光体ペーストや前面板用の電極ペーストおよび誘電体ペーストなどが挙げられる。
【００１８】
本発明は、充填する液体の粘度が１０，０００ｍＰａ・ｓ（２５℃）以上の高粘度の液体の充填に特に有効である。粘度が、９，９９９ｍＰａ・ｓ未満の場合、気泡の巻き込みが少なく、また、容易に気泡が抜けるため、特に充填方法に気を付ける必要がないからである。本発明は、粘度が１０，０００Ｐａ・ｓ〜６０，０００Ｐａ・ｓの液体に好適である。粘度は、ＢＲＯＯＫＦＩＥＬＤ  ＲＶＤＶ−ＩＩ＋型（ＢＲＯＯＫＦＩＥＬＤ  ＥＮＧＩＮＥＥＲＩＮＧ  ＬＡＢＳ．ＩＮＣ．）で２５．０±０．１℃で測定した。粘度の測定は液体を恒温ジャケット付きサンプルカップに入れ、５分間調温する。その後、スピンドルを３ｒｐｍの回転にて５分間回転させた後、粘度測定を行った。
【００１９】
また、本発明の液体の充填方法には、予め脱気した液体を用いると実施に当たりさらに有効である。液体の脱気方法は、例えば、真空ポンプなどにより、液体の入っている容器を０．３ｋＰａ程度にまで減圧し、約１時間程度真空状態に保持する。さらに、プラネタリーミキサーなどの装置を使用すれば、液体の攪拌が可能となり、より効果的に液体内の気泡を取り除くことができる。
【００２０】
本発明では、液体充填容器側を減圧に保持した状態で液体充填容器への充填を開始する。そのため、減圧機構を備えた液体充填容器を用いる。減圧する方法としては、例えば、一般的によく知られている方法、すなわち真空ポンプなどを使用することができる。真空度は０．２ｋＰａ程度の減圧が可能であればよく、そのための真空ポンプは特に問わない。また、液体充填容器については０．２ｋＰａ程度の真空度に耐えうる容器であれば材質、大きさおよび形状などは特に問わない。
【００２１】
また、本発明では、液体充填容器側を減圧に保持し液体充填容器への充填を開始した後、液体貯留容器側を加圧する。液体貯留容器側の加圧は、液体充填容器に液体が充填され始めた後に、具体的には配管が液体で完全に充填された後、液体貯留容器側を加圧することが好ましい。そのため、加圧機構を備えた液体貯留容器を用いる。加圧する装置としては、例えば、良く知られているコンプレッサーなどを使用することができる。加圧の程度は０．２ＭＰａ程度の加圧ができればよい。０．２ＭＰａ程度の加圧することができれば、コンプレッサーなどの特性は問わない。また、液体貯留容器については０．２ＭＰａ程度の加圧が耐えうる容器であれば、材質、大きさおよび形状などは特に問わない。
【００２２】
また、本発明では、液体の充填終了後、液体充填容器を減圧に保持（真空引き）することが好ましい。これを行うことにより、万一何らかの理由により、液体中に気泡が巻き込まれていた場合、この充填後の真空引きにより、気泡を取り除くことができるからである。減圧は０．２ｋＰａ程度で約１時間程度減圧状態にすればよい。
【００２３】
本発明で用いられる液体貯留容器、液体充填容器およびこれらの接続のための配管の材質は、充填する液体に対して腐食、劣化および膨張などが生じなければどのような材質のものでもよい。具体的な材料としては、例えば、ＳＵＳ３０４でその内面をバフ仕上げ（＃４００）を行い、その後、酸処理を施したものが好ましい。
【００２４】
また、充填速度および圧力損失の観点から、作業性が悪くならない範囲で、配管径は大きければ大きいほど、配管長は短ければ短いほど良い。極端に細い配管は、高粘度の液体を充填するとき、配管内に液体が充填されにくいため、使用しない方がよい。通常使用する配管径は直径２０ｍｍから１００ｍｍ程度で、好ましい配管長さは最大約４ｍまでである。これ以上配管径が太い場合、あるいは配管長さが４ｍを超えると、液体の充填速度が非常に遅くなり、実用的でなくなるからである。
【００２５】
液体貯留容器は、加圧するため、使用圧力に耐え得る容器であれば大きさや形状などは問わない。また、液体充填容器は減圧に保持するため、真空漏れが起きないような容器であれば大きさや形状などは問わない。使用する容器の大きさは２０Ｌ〜２００Ｌ程度で円柱型のものが好ましい。
【００２６】
フィルタについても、減圧に保持するため、真空漏れが生じないフィルタであれば、大きさ、形状は特に限定されない。フィルタの目開きについては所望する目開きのフィルタを使用すればよい。フィルタの素材は金属製のメッシュや不織布などを使用することができる。具体的には、例えばロキテクノ製のＳＩＰＤ−ＸＳなどを使用することができる。
洗浄の作業性を考慮すると、フィルタは交換が容易なカートリッジ式のものがよい。
【００２７】
本発明の液体の連続自動充填装置は、好ましくは液体充填容器の満量を検知し、その液体充填容器への液体の充填を自動的に停止する機能を備えており、また、好ましくは液体貯留容器の残量を検知し、液体の液体充填容器への充填を自動的に停止する機能を備えている。
【００２８】
液体充填容器に充填された液体の充填量の計測手段は、液体充填容器に充填された液体の量を計測できるものであればよく、例えば、容量を計測する装置であっても、また重量を計測する装置であってもよい。好ましくは重量計測装置である。液体充填容器に設定量の液体を充填するために、液体充填容器側の重量を測定するための計量器をセットして、設定量の液体が充填されたら、自動的にバルブを閉じる。この方法の場合は、液体充填容器の個数だけ、計量器が必要となるが、１つの液体充填容器に液体の充填が終了したら、次の液体充填容器を自動的に計量器に移動させる手段を用いることもできる。液体充填容器の移動手段は、複数の液体充填容器を所望位置に連続的に搬送移動することのできるものであればよく、特に制限はされないが、例えば、自動的にレーンが動くことによって、該レーン下の複数の液体充填容器を連なって搬送することのできるベルトコンベアやチェーンコンベア等を使用することができる。
【００２９】
また、複数の液体充填容器の位置は固定した状態で、液体貯留容器側の重量を測定する計量器をセットし、液体貯留容器の重量減少をもって、液体充填容器に設定量の液が充填されたと考える”ロスウェイト”方式を用いることもできる。すなわち、液体充填容器に設定量の液体が充填されたら、次の液体充填容器に順次充填を開始する方法である。この方法の場合、計量器は液体貯留容器の重量減少を測定するための計量器１台で済む。さらに液体充填容器を自動的に計量器に移動させる手段などは不要であるため、もっとも安価で経費がかからない方法である。
【００３０】
液体貯留容器の残量検知方法としては、重量検知や液面センサなどを用いる方法がある。液体貯留容器または液体充填容器に残量検知装置を取り付け、コンピュータ制御部１２にて、充填容器に設定量の量が送液されたら（あるいは貯留容器が設定量減少したら）バルブ２を閉じる。これにより充填容器に液体が自動的に充填される。
【００３１】
液体貯留容器から液体充填容器までの一連の充填ラインは複数のラインであってもかまわない。この場合、複数のラインがあるため、同一または複数の品種を同時に充填することができ、生産効率が非常に高くなる。また、１つのラインしかない場合で複数の品種を充填する場合は品種の切替ごとに配管の洗浄を行う必要があるが、複数のラインの場合は洗浄を行う必要がないため、効率がよい。当該液体充填計測手段は、例えば、コンピュータなどのように計測データを処理もしくは保存管理する装置、また必要に応じて個々の受け容器に充填量を印字する印字装置を備えることもできる。
【００３２】
液体充填容器と液体貯留容器を接続する配管の真空漏れは、液体の充填を開始する前に確認する必要がある。万一、洩れていた場合、気泡が混入した状態で液体貯留容器に液体が充填されるからである。
【実施例】
【００３３】
以下、本発明について実施例を用いてさらに詳細に説明するが、本発明はこれらの実施例に限定されるものではない。
【００３４】
（実施例１）
下記の組成比（重量％）のＰＤＰ背面板用の赤色（レッド）ペーストの原料を、１５０Ｌプラネタリーミキサーの下釜に総量で１５０ｋｇ仕込んだ。
赤色蛍光体粉末                                                ：４２．５％
エチルセルロース溶液（粘度７２，１２５ｍＰａ・ｓ、２５℃）    ：５０．５％
ベンジルアルコール                                            ：  ７．０％
その後、プラネタリーミキサーで１時間攪拌した後、３本ロールにて混練を行った。次に、３本ロール混練後の蛍光体ペーストを、真空機能付きプラネタリーミキサー（これは図１の液体貯留容器１４に相当する。）で５分間減圧・攪拌した。攪拌した後、約１０分間かけて大気圧から０．０５ｋＰａまでゆっくりと減圧にした。（このとき、急激に減圧状態にすると、ペーストの液面が急上昇し、プラネタリーミキサーのフード部や羽根の上部にペーストが付着し、ペーストが汚染されるため注意が必要である。このため、減圧状態への移行はゆっくりと行うことが重要である。）次に、０．０５ｋＰａの減圧状態で１時間攪拌した。その後、５分かけてゆっくりと大気圧まで戻した。このように十分に脱気した蛍光体ペースト（粘度  約５１，０００ｍＰａ・ｓ、２５℃）を、図１に示す計量器１３上にセットし、配管を接続した。次に、液体充填容器１５（(1)）を真空配管１０、１１に接続した。
【００３５】
ここからは自動充填運転モードに入る。まず、コンピュータ制御部にて液体充填容器１５（(1)）の液体設定量を２０ｋｇを入力した。次に、充填開始ボタンを押すことにより、バルブ１、８、９が開き、フィルタ２０および液体充填容器１５（(1)）、真空配管１０内が減圧になる。真空配管１０の真空度が０．０３ｋＰａに到達したとき、バルブ１が一旦閉じられる。この状態で３０分間減圧状態を保つ。３０分後に＋０．１ｋＰａ未満の減圧度変化しかない場合は、引き続き自動充填作業が行われる。（万一、＋０．１ｋＰａ以上減圧度が低下していた場合、真空漏れが発生している。このときは、アラームにて警告を発し、手動操作によって、次の作業を行う。一旦、真空配管１０の真空度を開放した状態でフィルタ２０および液体充填容器１５の真空漏れ確認を行う。具体的には、液体充填容器およびフィルタの本体と蓋の間のＯ−リング、パッキンや固定ボルトや固定ネジの締め直しを行い、再度真空引きを行う。）次に、バルブ８とバルブ９が閉じられる。（このとき、液体充填容器１５（(1)）および真空配管(1)１０内は減圧状態で保持されている。）次に、バルブ３とバルブ２とバルブ４が開き、バルブ７が閉じ、真空配管１１とフィルタ２０内が真空になる。この状態では真空配管およびフィルタ２０内が減圧状態であるため、液体貯留容器内の蛍光体ペーストが減圧によって少しずつ配管内を充填する。このとき、液体貯留容器を加圧にしないことが重要である。もし、加圧した場合、真空配管１１内およびフィルタ２０内の気泡が充分に排気される前にペーストが充填され始めるために、配管内およびフィルタ内に気泡が巻き込んだ状態になる。次に、バルブ５が開き、フィルタ２０内の初留出しが行われる。次に、バルブ５が閉じてバルブ６が開き、真空配管１１内の初留出しが行われる。次に、バルブ６とバルブ３が閉じられる。次に、バルブ９が閉じられ、バルブ１とバルブ８が開き、真空配管１０により、液体充填容器１５内が減圧になる。この状態で真空配管１１からバルブ２を通り、蛍光体ペーストが液体充填容器１５に垂れ落ち、充填が開始される。バルブ２から蛍光体ペーストが垂れ落ち始めた後、バルブ４が閉じてバルブ７が開き、液体貯留容器１４が０．１ＭＰａの圧力で加圧される。このようにして、液体充填容器１５（(1)）に液体が自動充填され始める。プラネタリーミキサー下釜（液体貯留容器１４に相当する。）の計量器１３の重量が予め設定された値５０ｋｇ（正味の充填量２０ｋｇ＋配管内充填分２０ｋｇ＋フィルタ５ｋｇおよび配管(2)の初留出し分５ｋｇ＝５０ｋｇ）の重量減少になった時点で、バルブ２が閉じる。その後、真空配管１０により、充填容器１５（(1)）を０．０３ｋＰａの減圧下にて１時間保持する。その後、バルブ８が閉じられる。以上までの作業が自動充填である。次に、液体充填容器１５（(1)）を真空配管１０、１１から切り離す。このようにして、充填された液体充填容器１５（(1)）をノズル装置（ノズル径８０μm＊ノズル長３０ｍｍ＊１２０本）に接続する。次に、１３５μmピッチ、隔壁幅３５μm、高さ１６０μmの隔壁を形成している基板上に先ほどのノズルをセットする。次に、液体充填容器に蓋をして、圧力２．５ｋＰａの圧力で加圧し、蛍光体ペーストを吐出しながら、隔壁ピッチ間にノズルを走行させた。約１５ｋｇ分のペーストを吐出し、隔壁ピッチ間に蛍光体ペーストをノズル塗布した後、ＩＲ乾燥機で焼成（５００℃、３０分）して隔壁の側面（膜厚１５μｍ）および底部（２５μｍ）に蛍光体層を形成した。その後、欠陥検査装置（Ｖテクノロジー社、スーパーネプチューン  ９０００ＴＲ）にて、蛍光体が塗布されていない箇所（いわゆる、抜け）が何カ所あるのか、その個数の検査・測定を行ったところ、液体貯留容器１５について抜けは０（ゼロ）であった。結果を表１に示す。
【００３６】
（比較例１）
実施例１と同様に蛍光体ペーストの脱気を行った。ただし、真空配管(1)(2)１０、１１内を減圧にせず、液体充填容器１５（(1)）を減圧にすると同時にプラネタリーミキサー下釜（液体貯留容器１４に相当する。）を加圧し、充填を開始した。その後の操作については、実施例１と全く同様に行った。欠陥検査装置にてペーストが塗布されていない箇所の検査・測定を行ったところ、液体貯留容器１５について抜けは１０ヶ所であった。結果を表１に示す。
【００３７】
（実施例２）
３０Ｌの液体充填容器１５（(1)〜(4)）の４台を図１に示すように真空配管１０、１１に接続した。次に、１５０Ｌプラネタリーミキサーの下釜（液体貯留容器１４に相当する。）に実施例１で使用した蛍光体ペーストを１５０ｋｇを投入し、計量器１３上にセットした。実施例１と同様に真空配管１０、１１および液体貯留容器１５（(1)〜(4)）の４台全ての真空漏れを同時に実施した。その後、フィルタ２０および真空配管の初留出しをそれぞれ５ｋｇずつ行った。制御部１２にて計量器１３に２０ｋｇと設定し、実施例１と同様にフィルタ２０および真空配管の初留出しを行った。液体充填容器１５(1)に自動充填が開始され、計量器１３が５０ｋｇの重量減少になった時点でバルブ２が閉じ、液体充填容器１５(1)にペーストが自動充填開始された。このようにして、４台全ての液体充填容器にペーストが充填された後、液体充填容器１５（(1)〜(4)）について、真空配管１０により、０．０３ｋＰａの減圧状態で１時間保持した。このようにして充填を終えた液体充填容器１５（(1)〜(4)）をそれぞれ個別にノズル装置に接続した後、ノズル塗布を行った。その後、ＩＲ乾燥機で焼成（５００℃、３０分）して隔壁の側面（膜厚１５μｍ）および底部（２５μｍ）に蛍光体層を形成した。欠陥検査装置を用いて蛍光体が塗布されていない箇所の検査・測定を行ったところ、液体貯留容器１５（(1)〜(4)）全てについて抜けは０（ゼロ）であった。結果を表１に示す。
【００３８】
【表１】
2005239235.tif 000003
【００３９】
表１の結果から、実施例１と２は、比較例１に比べて、気泡に基づく抜けの個数が大幅に削減された。
【００４０】
（実施例３）
下記の組成比（重量％）のＰＤＰ背面板用隔壁ペースト１５０ｋｇを、実施例１と同様に、プラネタリーミキサーにかけ、次に３本ロールにて、混練を行った。その後、真空機能付きプラネタリーミキサーで１時間真空・攪拌を実施した（粘度約３０，０００ｍＰａ・ｓ、２５℃）。
ポリマー            ：スチレン／アクリル酸共重合体、重量組成比６０／４０を４０重                      量％のＮ−メチル−２−ピロリドン溶液にしたもの
モノマー            ：ジペンタエリスリトールヘキサアクリレート
溶媒                ：γ−ブチロラクトン
光開始剤            ：ベンゾフェノン
酸化防止剤          ：１，６−ヘキサンジオール−ビス［（３，５−ジ−ｔ−ブチル−                      ４−ヒドロキシフェニル）プロピオネート］
有機染料            ：ベーシックブルー２６
ガラス粉末          ：酸化鉛、酸化ホウ素、酸化亜鉛、酸化シリコン、酸化バリウムの                      物質が主成分のガラスを粉砕した平均粒径２μｍのガラス粉末
チクソトロピー付与剤：脂肪酸アマイドワックス３４％とイソプロピルアルコール６６％                      有機ビヒクル成分の配合割合（重量％）
・バインダー
ポリマー：３０．８％
モノマー：１５．０％
溶媒    ：４８．０％
・バインダーに溶解する成分（重量％）
光開始剤  ：４．０％
酸化防止剤：２．０％
有機染料  ：０．２％
・隔壁用ペースト組成の配合割合（重量％）
有機ビヒクル：５８．１％
ガラス粉末  ：４０．９％
チクソ付与剤：  １．０％
このようにして、脱泡した隔壁ペーストを自動充填配管に接続し、液体充填容器(1)〜(4)の４台に実施例１と同様にして充填を行った後、１時間真空引きを実施した。このようにして充填した液体充填容器(1)〜(4)の４台をスリットダイコート装置に接続し、誘電体を形成したガラス基板（５００×５００ｍｍ、厚さ２．８ｍｍサイズ）上に塗布した。塗布条件を以下に示す。
【００４１】
口金厚み  ：４６０μm
ｗｅｔ厚み：４００μｍ
口金幅    ：４４０ｍｍ
塗布速度  ：０．５ｍ／ｍｉｎ
吐出圧力  ：０．２ＭＰａ
その後、ＩＲ乾燥機で１４０℃の温度で１２０分間乾燥させた。乾燥後の膜厚は１６０μｍであった。その後、露光装置を用いて露光を行った。用いたマスクはピッチ１３５μｍ、線幅２５μｍのクロムマスクである。次に、０．２％濃度の２−アミノエタノール水溶液を用いて、水温３５℃でシャワー現像を行い、未露光部を洗い流し、隔壁パターンを形成した。塗布した隔壁ペーストを欠陥検査装置にかけ、塗布されていない箇所（いわゆる、抜け）が何カ所あるのかその個数の検査・測定を行ったところ、液体充填容器(1)〜(4)すべてにおいて、０（ゼロ）であった。結果を表２に示す。
【００４２】
【表２】
2005239235.tif 000004
【００４３】
（比較例２）
実施例３と同様にして隔壁ペーストを作製した。ただし、真空配管(1)(2)１０、１１内を減圧にせず、液体充填容器１５（(1)〜(4)）を減圧にすると同時にプラネタリーミキサー下釜（液体貯留容器１４）を加圧し、充填を開始した。このようにして塗布した隔壁ペーストを欠陥検査装置で抜け個数を測定したところ、抜けはそれぞれ、液体充填容器(1)：８個、液体充填容器(2)：１２個、液体充填容器(3)：７個、および体充填容器(4)：１３個であった。結果を表３に示す。
【００４４】
【表３】
2005239235.tif 000005
【００４５】
表２と表３の結果から、実施例３は比較例２に比べて、気泡に基づく抜けの個数が大幅に削減された。
【００４６】
以上のとおり、液体貯留容器１４から液体充填容器１５に液体を充填する際に、始めに液体充填容器１５側を減圧に保持した状態で配管内に液体を充填した後、液体貯留容器１４側を加圧して充填することにより、配管内および充填容器に気泡を巻き込むことなく液体を充填することが可能となった。
【産業上の利用可能性】
【００４７】
本発明の液体の充填方法は、配管内および充填容器に気泡を巻き込むことなく液体を充填することができ、また、複数の充填容器に連続的にかつ定量的に自動充填することが可能であるため、省人化と工数削減、および大幅な経費節減の点で、産業上有効である。
【図面の簡単な説明】
【００４８】
【図１】図１は、本発明の一実施形態にかかる液体の充填方法と連続自動充填装置を説明するための系統図である。
【符号の説明】
【００４９】
１・・バルブ
２・・バルブ
３・・バルブ
４・・バルブ
５・・バルブ
６・・バルブ
７・・バルブ
８・・バルブ
９・・バルブ
１０・・真空配管
１１・・真空配管
１２・・制御部
１３・・計量器
１４・・液体貯留容器
１５・・液体充填容器
１６・・加圧
１７・・大気圧
１８・・フィルタ内の初留出し
１９・・真空配管内の初留出し
２０・・フィルタ
２１・・計量器
２２，２３・・真空計
２４・・圧力計
２５・・液体充填容器
２６・・計量器
【図１】
2005239235.tif 000006